(57)【要約】【課題】従来の地図上の各位置における地図の情報や、観光案内書上の各ページの情報を補足するための情報を加える事により、詳細なナビゲーション・案内を実現する。【解決手段】バーコードを内蔵した地図・観光案内書は、地図上の各位置における地図の情報や、観光案内書上の各ページの情報を補足するための付加情報に対応する情報識別子を記憶したバーコードを、情報源として該位置に備える。ＰＣ・ＰＤＡ・携帯電話等の電子機器は、取り付けられたバーコードリーダユニットの発光部が地図・観光案内書上のバーコードに近づけられると（Ｓ０１）、バーコードリーダユニットを介してバーコードに書き込まれた情報識別子を読み取り（Ｓ０３）、メモリーから情報識別子に対応する付加情報を読み出し（Ｓ０５）、電子機器の表示部に読み出した付加情報を可視表示、あるいはスピーカー・イヤホン等により可聴表示する（Ｓ０９）。【選択図】　　　　図４
2004054465.tif 000002
【特許請求の範囲】
【請求項１】
地図上の各位置における地図の情報や、各ページの観光案内情報を補足するための付加情報に対応する情報識別子を表すバーコードを、情報源としての該位置に備えた観光案内書であって、
バーコードが表す情報を読み取るバーコードリーダユニットを備えた電子機器が、前記観光案内書上のバーコードのひとつに近づけられることで、電子機器は、バーコードリーダユニットを介してバーコードが表す情報識別子を読み取り、読み取った情報識別子に対応する付加情報を記憶部から読み出し、該付加情報を可聴表示及び／又は可視表示するための前記観光案内書。
【請求項２】
前記情報識別子を表すバーコードは、情報を１方向のみに書き込んだ可視又は不可視の１次元コード、水平方向と垂直方向の２次元方向に情報を書き込んだ２次元コード、光の反射率の違いを利用して情報を書き込んだバーコード、又は、カラーバーコードのいずれかである請求項１に記載の観光案内書。
【請求項３】
前記付加情報は、観光情報、経路案内情報、ショッピング・グルメ情報、公共施設情報、非常災害情報、レジャー施設情報、イベント開催情報、近隣地域情報、交通情報、広告宣伝情報、高齢者用情報、障害者用情報、現地の言語による会話例の音声情報のいずれか又は複数である請求項１又は２に記載の観光案内書。
【請求項４】
付加情報に対応する情報識別子を表すバーコードを印刷すること、接着剤を用いて貼り付けること、バーコードの記憶されたテープを貼り付けること、又は製造工程中に書き込むことにより、バーコードを備えた請求項１乃至３のいずれかに記載の観光案内書。
【請求項５】
地図上の各位置における地図の情報を補足するための付加情報に対応する情報識別子を表すバーコードを、情報源としての該位置に備えた地図であって、
バーコードが表す情報を読み取るバーコードリーダユニットを備えた電子機器が、前記地図上のバーコードのひとつに近づけられることで、電子機器は、バーコードリーダユニットを介してバーコードが表す情報識別子を読み取り、読み取った情報識別子に対応する付加情報を記憶部から読み出し、該付加情報を可聴表示及び／又は可視表示するための前記地図。
【請求項６】
地図上の各位置における地図の情報又は観光案内書の各ページの観光案内情報を補足するための付加情報に対応する情報識別子を表すバーコードを、情報源としての該位置に備えた地図又は観光案内書を用いて付加情報を得るための付加情報表示方法であって、
電子機器の処理部は、バーコードに記憶された情報を読み取るバーコードリーダユニットの発光部が、付加情報と対応した情報識別子を記憶した地図又は観光案内書上のバーコードのひとつに近づけられた際に、バーコードリーダユニットの発光部から発光してスキャンするステップと、
処理部は、バーコードリーダを介してバーコードに記憶された情報識別子を読み取るステップと、
処理部は、情報識別子に対応する付加情報を記憶した記憶部から、読み取った情報識別子に対応する付加情報を読み出すステップと、
処理部は、読み出した付加情報を電子機器の表示部に可聴表示及び／又は可視表示するステップと
を含む付加情報表示方法。
【発明の詳細な説明】
【０００１】
【発明の属する技術分野】
本発明は、観光案内書、地図及び付加情報表示方法に係り、特に、観光案内書、地図の詳細情報を記憶したメモリー及びバーコードを利用して、紙面である観光案内書、地図を補完するデジタル情報を提供できるバーコードを内蔵した観光案内書、地図、及び、観光案内情報又は地図情報を表示する付加情報表示方法に関する。
【０００２】
【従来の技術】
従来、地図は、平面的な位置情報を提供するものであり、所定の縮尺で限られたスペースでの視覚情報を提供するものである。また、観光案内書は、編集された時期の観光情報を提供するものである。
また、バーコードとバーコードリーダを用いてバーコードデータを読み取り、各種処理を可能とする技術が開発されている。さらに、大容量・高密度なバーコードとして、濃度の異なるセルを２次元に配置して印刷し、情報を記憶させた２次元コード及び２次元コード読み取り装置が開発されている（特開２００１−２５００７９号公報）。
【０００３】
【発明が解決しようとする課題】
このように、従来の地図は、平面図な視覚的情報の範囲でしか表現できず、せいぜい縮尺の異なる地図を併用して、ナビゲーション情報を提供するものであった。また、観光案内書は、編集された時期の観光情報とそれを利用する時点では、情報が食い違っていたりするケースがある。
そこで、本発明は以上の点に鑑み、第１に従来の地図にさらに詳細な情報を加える事により、詳細なナビゲーション・観光案内を実現することを目的とする。第２に本発明は、観光案内書に書かれている内容の最新情報を提供することを目的とする。第３に本発明は、文字・写真・映像・アニメーション・音声等で情報を伝達する事で、誰にでも分かり易く利便性の高い地図情報・観光案内情報を提供することを目的とする。第４に本発明は、視聴覚に障害のある者・高年齢者等でもバリアフリーに使用できるようにすることを目的とする。
【０００４】
【課題を解決するための手段】
本発明の第１の解決手段によると、
地図上の各位置における地図の情報や、各ページの観光案内情報を補足するための付加情報に対応する情報識別子を表すバーコードを、情報源としての該位置に備えた観光案内書であって、
バーコードが表す情報を読み取るバーコードリーダユニットを備えた電子機器が、前記観光案内書上のバーコードのひとつに近づけられることで、電子機器は、バーコードリーダユニットを介してバーコードが表す情報識別子を読み取り、読み取った情報識別子に対応する付加情報を記憶部から読み出し、該付加情報を可聴表示及び／又は可視表示するようにした前記観光案内書が提供される。
【０００５】
本発明の第２の解決手段によると、
地図上の各位置における地図の情報や、各ページの観光案内情報を補足するための付加情報に対応する情報識別子を表すバーコードを、情報源としての該位置に備えた地図又は観光案内書を用いて付加情報を得るための付加情報表示方法であって、
電子機器の処理部は、バーコードに記憶された情報を読み取るバーコードリーダユニットの発光部が、付加情報と対応した情報識別子を記憶した地図又は観光案内書上のバーコードのひとつに近づけられた際に、バーコードリーダユニットの発光部から発光してスキャンするステップと、
処理部は、バーコードリーダを介してバーコードに記憶された情報識別子を読み取るステップと、
処理部は、情報識別子に対応する付加情報を記憶した記憶部から、読み取った情報識別子に対応する付加情報を読み出すステップと、
処理部は、読み出した付加情報を電子機器の表示部に可聴表示及び／又は可視表示するステップと
を含む付加情報表示方法が提供される。
【０００６】
【発明の実施の形態】
（動作概要）
本実施の形態における地図及び観光案内書は、詳細な付加情報に対応した情報識別子を記憶したバーコードを地図及び観光案内書上に備える。本実施の形態では、例えば、携帯電話・ＰＤＡ等の電子機器は、地図・観光案内書上のバーコードから個々の観光名所の情報識別子を取得し、メモリー上の情報識別子に対応する観光情報を、表示することができる。本実施の形態における地図とは、道路地図の他、観光案内用パンフレット等に記載されている地図でも良い。
【０００７】
利用者は、付加情報を記憶したメモリーカードを電子機器に差し込み、さらに、バーコードリーダユニットを装着した電子機器のバーコードリーダ部を、地図・観光案内書上に印刷されたバーコードに近づける事により、目的地の情報を補完する付加情報（景観、場内の案内図、展示物、交通案内等）が、装着したメモリーから読み出され、電子機器の表示部に文字・音・音声等による解説、図・写真・絵文字等の静止画又はアニメーション・動画等で表示される。
【０００８】
（ハード機器）
図１は、電子機器の構成図である。
電子機器１は、ＰＣ、ＰＤＡ、携帯電話、パソコン等のＣＰＵ（処理部）と内部メモリーを備えた機種である。例えば、電子機器１は、コネクタ１１又はメモリーカードスロット１２を備える機種である。また、その両方が備えられていてもよい。コネクタ１１は、ＣＦタイプとすることができる。内部メモリーは、３２ＭＢ以上、ＯＳは、Ｗｉｎｄｏｗｓ　ＣＥ（商標）を使用することができるが、機能が適えられれば容量及び種類は問わない。さらに、電子機器１は、バーコードリーダユニット３を備える。バーコードリーダユニット３は、ペンタイプの形状としてもよい。また、バーコードリーダユニット３の発光部３１の先端は、ペン先形状にしてスキャンしやすくしてもよい。バーコードリーダユニット３は、電子機器１のＣＦカードタイプコネクタ１１に接続される。さらに、電子機器１は、表示部１３、スピーカー１４、イヤホン端子１５等を備える。
メモリー５は、メモリーカードスロット１２に接続される。メモリー５は、ＳＤカード・メモリースティック等の適宜の記録媒体を用いてもよいし、電子機器に内蔵のメモリーを用いてもよい。メモリー５には、この実施の形態では、地図・観光案内書を補完するための付加情報が情報識別子に対応して記憶されている。記憶されている情報は、観光情報、経路案内情報、ショッピング・グルメ情報、公共施設情報、非常災害情報、レジャー施設情報、イベント開催情報、近隣地域情報、交通情報、広告宣伝情報、高齢者用情報、障害者用情報のいずれか又は複数の情報である。利用者は、コンビニ端末、キオスクに設置されている端末等で、メモリー５に記憶される「観光データ」を購入することができる。その際、電子機器１に合致する市販のメモリーをコンビニ端末等に挿入し、利用者が欲しい観光地のデータを選択購入するようにしてもよい。さらに、電子機器１は、情報識別子に対応した付加情報をインターネットの情報提供サイトからの有料ダウンロード、又は外部機器から読み込むことで、メモリー５に該付加情報を記憶するようにすることができる。なお、情報提供サイトから無料ダウンロードできる付加情報があってもよい。
図２は、付加情報のフォーマット構成図である。このように、メモリー５には、情報識別子に対応して付加情報が記憶されている。付加情報は、音声ファイル、画像ファイル、文字ファイル等で記憶されており、拡張子や識別子によってファイルの種類が識別できるようになっている。また付加情報は電子機器１の内部メモリーに記憶されるようにしてもよい。
【０００９】
（地図・観光案内書）
図３は、バーコードを備えた地図の構成図の一例である。この例では、地図上の観光名所（京都駅周辺）には、バーコードが製本時に印刷されている。図３では、■で示されている場所に、付加情報に対応した情報識別子が記憶されているバーコードが印刷されている。バーコードは、地図のじゃまにならない程度の大きさ、あるいは不可視の印刷とする。
本実施の形態における地図は、道路地図の他、観光案内、パンフレット、掲示板等に記載されている地図でもよく、その大きさを問わない。また、バーコードは、地図上ではなく、地図の枠外や他の紙に印刷されていても良い。例えば、駅周辺の観光案内のパンフレットにおいて、各観光名所の説明の場所に、バーコードが印刷されていても良い。
本実施の形態における観光案内書は、観光施設情報、レストラン・ショッピング情報、宿泊施設情報等の観光情報を提供するものである。１つの観光施設についてのパンフレットでもよいし、複数の地域の観光情報を提供する書籍でもよい。例えば、観光情報が記載されている付近に付加情報に対応した情報識別子を記憶したバーコードを印刷する。また、観光案内書の地図上にバーコードを印刷し、地図上における施設の情報を提供するようにしてもよい。
バーコードを備えた地図及び観光案内書は、印刷と同時にバーコードを印刷することにより製造できる。また、既存の地図及び観光案内書に接着剤、接着テープ等を用いてバーコードを貼り付けても良い。例えば、シール状のバーコードを貼り付けることもできる。また、製造工程中に書き込むようにしてもよい。バーコードは、地図及び観光案内書のじゃまにならない程度の大きさ、あるいは不可視の印刷とする。また、バーコードとしては、通常の白黒バーコードの他に、水平方向と垂直方向の２次元方向に情報を書き込んだ２次元コード、光の反射率の違いを利用して情報を書き込んだバーコード、又は、カラーバーコード等を用いてもよい。本実施の形態では、このような各種コードもバーコードに含むものとする。２次元コードを使用すると、１次元コードに比べてバーコードの大きさを小さくすることができる。また、カラーバーコードや特定の光のみ反射するバーコードを用いて、利用者に不可視のバーコードを印刷してもよい。
なお、地図及び観光案内書の材質は紙に限らず、透明シート、高分子シート等の適宜の材質を用いることができる。
【００１０】
（フローチャート）
図４は、付加情報を表示するためのフローチャートである。本実施の形態では、主に、ＰＣ・ＰＤＡ・携帯電話等の電子機器１に組み込まれた、或いは取り付けられたバーコードリーダユニットを使用して、電子機器１は、地図又は観光案内書内のバーコードに書き込まれた情報識別子を読み取り、メモリー５から情報識別子に対応する付加情報を読み出し、ＰＣ・ＰＤＡ・携帯電話等の電子機器１の表示部１３に読み出した情報を可視表示、あるいはスピーカー１４・イヤホン等により可聴表示して利用者に情報を伝達する。各ステップ処理は、電子機器１のＣＰＵ（処理部）が実行する。
【００１１】
まず、電子機器１の処理部は、利用者がＰＣ・ＰＤＡ・携帯電話等の電子機器１に取り付けたバーコードリーダユニット３の発光部３１を、地図又は観光案内上のバーコードが印刷された場所にスキャンした事を認識する（Ｓ０１）。なお、処理部は、スキャン等により自動的にプログラムが起動する設計とすることができる。処理部は、バーコードリーダユニット３の発光部３１を発光させ、バーコードリーダユニット３を介してバーコードに書き込まれた情報識別子を受信する（Ｓ０３）。
処理部は、受信した情報識別子に基づいてメモリー５を検索し、該当する付加情報を読み出す（Ｓ０５）。なお、受信した情報が、情報識別子でない場合や該情報識別子に該当する付加情報がメモリー５に記憶されていない場合、処理部はステップＳ０１に戻る（Ｓ０７）。処理部は、メモリー５から読み出した付加情報を表示部１３に可視表示、或いはスピーカー１４・イヤホン等から音声で可聴表示して利用者に情報を伝達する（Ｓ０９）。
また、処理部は、メモリー５から読み込んだ情報に適宜の識別子をつけて内部メモリーに記憶し、再度該情報を表示する際に、バーコードを読み取らずに識別子を入力することで表示できるようにしてもよい。
【００１２】
（付加情報）
本実施の形態では、平面図である地図や、観光案内書上の各ページの案内情報を補足するための詳細な付加情報を、利用者が簡単に得る事が出来るようにして、誰にでも分かり易く利便性の高い地図・観光案内書とする。表示方法としては、例えば、文字・写真・映像・アニメーション・音声等の適宜の可聴・可視表示手段による。
・詳細な付加情報を、以下に例示する。
（１）神社仏閣、遺跡、博物館、資料館等の文化教育施設の住所、ナビゲーション、解説、四季折々の風景等の観光情報。
（２）道路交差点付近の風景と道案内図、駐車場、目的地までの経路・利用交通機関・ナビゲーション、タクシー乗り場、バス停、等の経路案内情報。
（３）お土産屋、商店街、レストラン、デパート等のショッピング・グルメ情報。
（４）県庁、市庁、警察、消防署等の公共施設情報。
（５）非常災害時の避難経路と避難場所、危険地域・建物、備蓄庫の位置、災害時の心得等の非常災害情報。
（６）ホテル、映画館、劇場、公園、病院、警察、消防、市役所、学校、バス停、駅等の各種施設情報。
（７）花火大会やお祭り、定期的又は非定期的なコンサート、スポーツ、会議、展示会等のイベント開催情報。
（８）地図上に示された場所の住所、マンション、ビル、建物等の近隣地域情報。
（９）タクシー乗り場、バス停、バス、鉄道、地下鉄、飛行機、船等の案内、交通機関の場合は、空港、港、駅やバス停での時刻表、乗り換え案内、駅構内案内等の交通情報。
（１０）商品や企業の広告宣伝情報。
（１１）高齢者・障害者用の情報。
（１２）観光施設、レストラン、お土産屋、ホテル、駅、バス停等の名称や、空港、ホテル、お土産屋で交わされる会話の例文を現地の言語で発音した音声情報。
【００１３】
（表示例）
バーコードの情報識別子は、例えば、図３のバーコードを備えた地図の構成図にあるように、地図上の神社仏閣に埋め込まれていて、通し番号データ又はユニークな番号データ、内容毎に分類された番号等によって記憶しておく。メモリー５には、例えば「東福寺」の写真・内容説明等の付加情報を情報識別子に対応して記憶しておく。付加情報の内容は、例えば次の通りである。
・名所までの案内、案内図等。
・観覧時間、料金、休日、電話番号、特別観覧等のイベント案内等。
・近隣の案内―お土産屋、グルメ、宿泊案内等。
電子機器には、例えば、次のような表示がされる。
「東福寺−京都五山にも並ぶ大寺院で、約５万坪の広大な敷地に、約２０の塔頭寺院が立ち並ぶ。境内の諸堂の多くは国宝や国の重要文化財に指定されている。
料金：境内無料、方丈・開山堂＝×××円、分陀院＝×××円
時間：９：００〜１６：００
駐車：××台
住所：京都市東山区本町××−×××
電話：０７５−５６１−××××
特別公開：×月××日〜××日には、釈迦涅槃図が一般公開される。
見所：京都屈指の紅葉の名所で、２０００本の紅葉は特に素晴らしい。」
例えば、この情報を文字表示、音声で可聴表示したり、東福寺の写真をあわせて可視表示する。
この様に、バーコードを印刷した地図上の神社仏閣に対応させて、付加情報のデータがメモリー５に記憶されている。電子機器１は、バーコードの内容をバーコードリーダユニット３で読むたび、電子機器１のＣＰＵはその情報識別子に対応する付加情報をメモリー５から検索し、ディスプレイ上に表示したり、音声で案内したりする。
【００１４】
なお、上述の実施の形態では、地図及び観光案内書について説明したが、本発明は、地図以外の各種の印刷物にバーコードを埋め込み、各種の情報を電子機器に表示するように適用することも可能である。また、本発明の地図情報表示方法又は地図情報表示装置・システムは、その各手順をコンピュータに実行させるための地図情報表示処理プログラム、地図情報表示処理プログラムを記録したコンピュータ読み取り可能な記録媒体、地図情報表示処理プログラムを含みコンピュータの内部メモリーにロード可能なプログラム製品、そのプログラムを含むサーバ等のコンピュータ、等により提供されることができる。
【００１５】
【発明の効果】
本発明によると、従来の地図上の各位置における地図の情報や、観光案内書上の各ページの情報を補足するための情報を加える事により、詳細なナビゲーション・観光案内を実現することができる。また、本発明によると、観光案内書に書かれている内容の最新情報が提供できる。また、本発明によると、文字・写真・映像・アニメーション・音声等で情報を伝達する事で、誰にでも分かり易く利便性の高い地図情報・観光案内情報を提供することができる。さらに、本発明によると、視聴覚に障害のある者・高年齢者等でもバリアフリーに使用できる。
本発明によると、以下のように、特有の効果を奏する。
１）写真、文字・音声による解説、アニメーション・動画等で表示されるため、バリアフリーの案内ができる。
２）観光名所ごとに詳細案内ができる。
３）１つのシステム構成で、メモリーを差し替えればあらゆる観光地の観光案内ができる。
４）地図から観光名所が検索できる。
【図面の簡単な説明】
【図１】電子機器の構成図。
【図２】付加情報のフォーマット構成図。
【図３】バーコードを備えた地図の構成図。
【図４】付加情報を表示するためのフローチャート。
【符号の説明】
１　　　電子機器
３　　　バーコードリーダユニット
５　　　メモリー
１１　　コネクタ
１２　　メモリーカードスロット
１３　　表示部
１４　　スピーカー
１５　　イヤホン端子
３１　　発光部
【図１】
2004054465.tif 000003
【図２】
2004054465.tif 000004
【図３】
2004054465.tif 000005
【図４】
2004054465.tif 000006